(57)【要約】【課題】  照明光として偏光を用いると共にカメラレンズに偏光フィルターを取り付けて写真撮影を行う撮影方法を簡易に行えるようにする、スチールカメラ照明系アダプタを提供する。【解決手段】  スチールカメラの照明部にその発光面全面を覆うように取り付け可能とした偏光板である照明光フィルターと、スチールカメラ本体から突設されたレンズ内蔵の筒状レンズホルダーにレンズ全面を覆うように且つその偏光面が照明光フィルターの偏光面と所定角度をなすように取り付け可能とした偏光板である撮像光フィルターと、からスチールカメラ照明系アダプタを構成する。【選択図】      図１
2005099813.tif 000002
【特許請求の範囲】
【請求項１】
レンズを内蔵した筒状のレンズホルダーが突設されたスチールカメラ本体を有するスチールカメラの前記レンズホルダーに取り付けて用いられるスチールカメラ照明系アダプタであって、
被撮像物を照明する照明部と、
その照明部を覆う偏光板である照明光フィルターと、
前記スチールカメラ照明系アダプタが前記スチールカメラに取り付けられたときに前記レンズの全面を覆うようにされ、且つその偏光面が前記照明光フィルターの偏光面と所定角度をなすようにされた偏光板である撮像光フィルターと、
を備えてなるスチールカメラ照明系アダプタ。
【請求項２】
前記照明光フィルターは、前記照明部と一体で形成されている、
請求項１記載のスチールカメラ照明系アダプタ。
【請求項３】
前記照明部は、前記レンズホルダーの側面形状に沿ったリング形状として形成され、且つその前面に発光部を備えているとともに、
前記照明光フィルターは、前記発光部に対応したリング形状に形成され、且つ前記撮像光フィルターは、前記レンズに対応した円形に形成されている、
請求項１又は２記載のスチールカメラ照明系アダプタ。
【請求項４】
前記照明光フィルターと前記撮像光フィルターは、一体のフィルター体とされてなる、
請求項１〜３のいずれかに記載のスチールカメラ照明系アダプタ。
【請求項５】
前記照明光フィルターの偏光面と前記撮像光フィルターの偏光面とがなす角度を調整するための角度調整手段を備える、
請求項１〜４のいずれかに記載のスチールカメラ照明系アダプタ。
【発明の詳細な説明】
【技術分野】
【０００１】
本発明は、スチールカメラの照明系アダプタに関する。
【背景技術】
【０００２】
被撮影物の外面乃至表層を、それがあるがままの状態で正確に撮影したい場合がある。しかしながら、一般的なカメラを用いて写真撮影を行った場合には、真に正確な写真を得ることが困難である。それは、撮像光には被撮像物の表面から反射してくる光が含まれるため、写真中の被撮像物表面が光ってしまうからである。スチールカメラを用いて正確な色彩情報を得るのは特に困難であり、例えば人の肌を撮影する場合には、染みその他の肌に関する正確な色彩情報を撮影するのは難しい。従って、上記のような不具合を解消するには、被撮像物の表面から反射してくる表面反射光を撮像光から排除することが必要になる。
【０００３】
撮像光から表面反射光を排除するための手段として、ビデオカメラで用いられる以下のような方法がある。それは、照明光として偏光を用いると共にカメラレンズに偏光フィルターを取り付けて写真撮影を行う方法である。この方法は、偏光性を与えた光を物体に照射した場合、物体表面で反射する表面反射光は偏光性を維持したままであるのに対し、一旦物体表層を通過してから反射する間接反射光は偏光性のない自然光となるという性質を利用したものである。即ち、上記方法によれば、偏光としての性質を保ちながら反射してくる表面反射光をカメラレンズに取り付けた偏光フィルターにより排除し、自然光として反射してくる間接反射光のみにより撮影を行えるので、その色彩まで正確な写真を得ることができる。尚、本明細書でいう、偏光フィルターの偏光面とは、そのフィルターを透過した光の偏光面を意味する。
【０００４】
この偏光を用いた撮影方法は、上記のような利点を有している。しかしながら、スチールカメラで上記偏光を用いた撮影を行おうとしても、それを容易に実行可能とするような器具は存在しない。特に、この方法を実行する場合には、照射光を偏光させるフィルターと、表面反射光を排除するための偏光フィルターとの間で偏光面の向きを調整する必要があり、その準備が煩雑となる。
【０００５】
また、正確な色彩を得るための撮影方法として、デジタルカメラを用い、基準となる色彩を印刷した紙片と共に撮像物を写し込み、後にコンピュータを用いて撮像物の色彩を補正する方法も知られている。しかしながら、この方法も簡易に実行できるとは言い難い。
【発明の開示】
【発明が解決しようとする課題】
【０００６】
そこで、本発明は、上記偏光を用いた撮影方法を簡易に実行できるような、例えば市販のスチールカメラにも適用できるような照明系アダプタを提供することを目的とする。
【課題を解決するための手段】
【０００７】
上記課題を解決するために、本願出願人は以下のようなスチールカメラ照明系アダプタを考案した。即ち、レンズを内蔵した筒状のレンズホルダーが突設されたスチールカメラ本体を有するスチールカメラの前記レンズホルダーに取り付けて用いられるスチールカメラ照明系アダプタであって、被撮像物を照明する照明部と、その照明部を覆う（例えば、照明部の全面を覆う）偏光板である照明光フィルターと、前記スチールカメラ照明系アダプタが前記スチールカメラに取り付けられたときに前記レンズの全面を覆うようにされ、且つその偏光面が前記照明光フィルターの偏光面と所定角度をなすようにされた偏光板である撮像光フィルターと、を備えてなるスチールカメラ照明系アダプタである。
【０００８】
このアダプタを取り付ければ、照明部から照射される照明光は、照明光フィルターを通過するため必ず偏光になると共に、レンズに入る撮像光のうち偏光性を保っている光は、撮像光フィルターにより排除することができるため、簡易に上記偏光を用いた撮影方法を実行できるようになる。そして、このアダプタは、それが取り付けられた状態で、照明光フィルターと撮像光フィルターとが所定の角度をなすようになっている。従って、面倒なフィルターの角度調整を行うことなく、上記偏光を用いた撮影方法を行えるようになる。この場合、照明光フィルターの偏光面と撮像光フィルターの偏光面とが直交する場合には、直接反射光を完全に排除できることとなる。また、両フィルターが、互いの偏光面を直交から若干ずらした状態で取り付けられると、得られた写真中の撮像物は完全なつや消し状態とはならず、現実感の豊富な写真となる。このような所望する写真に合わせ、両フィルターの偏光面がなす角度を予め設定しておく。特に、両フィルターの偏光面のなす角度が異なるような複数のフィルターを準備しておけば、それを所定の方法で取り付けるのみで、上記偏光を用いた撮影方法を行えるようになるので好ましい。
【０００９】
また、前記照明光フィルターは、前記照明部と一体で形成されていてもよい。そうすれば、照明光フィルターの取り付けを、照明部の取り付けと同時に行えるので便利である。
【００１０】
また、前記照明部は、前記レンズホルダーの側面形状に沿ったリング形状として形成され、且つその前面に発光部を備えているとともに、前記照明光フィルターは、前記発光部に対応したリング形状に形成され、且つ前記撮像光フィルターは、前記レンズに対応した円形に形成されていてもよい。このようにすれば、発光部とレンズとが非常に近くなるので、特に接写を行う場合に、高い色彩の再現性を得られる。
また、照明光フィルターと撮像光フィルターを一体としてフィルター体とすることもできる。こうすれば、フィルター体自体をどのような向きに取り付けようとも、両フィルターの偏光面がなす角度は一定となる。
【００１１】
また、本発明のスチールカメラ照明系アダプタは、照明光フィルターの偏光面と撮像光フィルターの偏光面とがなす角度を調整するための角度調整手段を備えていても良い。これによれば、両フィルターの偏光面のなす角度を、撮影時に自由に変更できる。尚、この角度調整手段は、どのような手段とすることも可能であり、また照明光フィルター、撮像光フィルターのいずれに設けてもよい。
【発明の効果】
【００１２】
本発明のスチールカメラ照明系アダプタは、以上のように構成されているので、非常に簡単な操作で簡易に上記偏光を用いた撮影方法を実行可能とする。特に、これを市販のスチールカメラに適用すれば、手軽且つ安価に上記偏光を用いた撮影方法を行えるようになる。
【発明を実施するための最良の形態】
【００１３】
添付図面を参照して本発明による第１〜第３実施形態について説明する。尚、各実施形態の説明において、共通する部分には共通の符号を付し、重複説明は省略する。
【００１４】
第１実施形態：第１実施形態を示すのは図１であり、その使用状態を図２で表している。図中１はスチールカメラ本体であり、このスチールカメラ本体１は前面に円筒状のレンズホルダー２を備えており、このレンズホルダー２は、その内部にレンズ３を担持している。第１実施形態のスチールカメラ照明系アダプタＡは、図２に示したように、レンズホルダー２の先端に取り付けて用いる。スチールカメラ照明系アダプタＡは、レンズホルダー２の外周形状に沿う筒状体として形成され且つその前面に発光面４を備えた発光部としてのストロボ５と、レンズ３を覆うことができるように円形とされた撮像光フィルター６と、発光面４を覆うことができるようにリング状とされた照明光フィルター７とからなる。尚、この実施形態のスチールカメラ照明系アダプタＡでは、ストロボ５に図示せぬアタッチメントが設けられており、レンズホルダー２に対してストロボ５を脱着自在に固定できるようになっている。
【００１５】
撮像光フィルター６と照明光フィルターとは７はともに偏光板であり、それらの偏光面が相互に直角となるような向きで一体として形成され、フィルター体Ｆを構成している。尚、この撮像光フィルター６及び照明光フィルター７は、該偏光フィルター（フィルター体Ｆ）交換の必要性等を考慮して、ストロボ５に対し脱着自在とされている。尚、図面中の撮像光フィルター６及び照明光フィルター７に記載した斜線は、それぞれのフィルターの偏光面を示すものである。
【００１６】
第２実施形態：図３により本発明の第２実施形態を説明する。第２実施形態のスチールカメラ照明系アダプタＡは、第１実施形態と多くの部分で共通するが、ストロボとレンズホルダー２とが一体として形成されている点で第１実施形態と相違する。また、この実施形態のスチールカメラ照明系アダプタＡは、そのフィルター体Ｆがストロボと一体となっており、この点でも第１実施形態と異なっている。この実施形態のスチールカメラ照明系アダプタＡは、通常のカメラのレンズ交換と同様の操作を行うのみで、偏光を用いた写真撮影が可能となる。
【００１７】
第３実施形態：図４により本発明の第３実施形態を説明する。この実施形態のスチールカメラ照明系アダプタでは、撮像光フィルター６と照明光フィルター７とが別体とされており、それぞれレンズホルダー２及びストロボ５に取り付けて用いられる。このスチールカメラ照明系アダプタは、両フィルター６，７の偏光面がなす角度を変更できるようになっており、そのために撮像光フィルター６は、レンズホルダー２に取り付けた状態で回動自在となっている。また、撮像光フィルター６には、角度調整手段としての位置あわせ８が設けられており、これを目印にして両フィルター６，７がなす角度を調整することとしている。
【図面の簡単な説明】
【００１８】
【図１】本発明の第１実施形態によるスチールカメラ照明系アダプタを表す斜視図。
【図２】本発明の第１実施形態によるスチールカメラ照明系アダプタの使用状態を表す斜視図。
【図３】本発明の第２実施形態によるスチールカメラ照明系アダプタの使用状態を表す斜視図。
【図４】本発明の第３実施形態によるスチールカメラ照明系アダプタの使用状態を表す斜視図。
【符号の説明】
【００１９】
１ スチールカメラ本体
２ レンズホルダー
３ レンズ
４ 発光面
５ ストロボ
６ 撮像光フィルター
７ 照明光フィルター
Ａ スチールカメラ照明系アダプタ
【図１】
2005099813.tif 000003
【図２】
2005099813.tif 000004
【図３】
2005099813.tif 000005
【図４】
2005099813.tif 000006